【手続補正書】
【提出日】令和3年1月28日(2021.1.28)
【手続補正１】
【補正対象書類名】特許請求の範囲
【補正対象項目名】全文
【補正方法】変更
【補正の内容】
【特許請求の範囲】
【請求項１】
所定の動作電力レベルおよび所定の動作電圧レベルの要件を提供する太陽光発電システム（５００，５０２，５０３，５０４，５０６，５０７，５０９）であって、前記太陽光発電システムが、少なくとも１枚の太陽電池パネル（５００，５０２）を備えており、前記少なくとも１枚の太陽電池パネル（５００，５０２）それぞれが、複数の太陽電池サブセル（３２０）を備えており、
事前設定される数の前記太陽電池サブセル（３２０）が、直列に電気的に接続されて直列ユニット（３１０）を形成しており、または個々の直列ユニット（３１０）それぞれがただ１個の太陽電池サブセル（３２０）を有し、事前設定される数の前記直列ユニット（３１０）が、直列に電気的に接続されて直列ユニットのストリング（３３０）を形成しており、前記直列ユニットのストリング（３３０）が、第１の出力電圧レベルを生成するように促進され、
事前設定される数の、前記直列ユニットのストリング（３３０）が、並列に電気的に接続されて前記太陽電池サブセル（３２０）のアレイ（３００，３０１，４００）を形成しており、
前記直列ユニットのストリング（３３０）それぞれにおいて、前記直列ユニット（３１０）それぞれが、すべての他の直列ユニットのストリング（３３０）の隣接する直列ユニットにも並列に接続されて、前記直列ユニット（３１０）の十字交差マトリクスアレイ（３００，３０１，４００）を形成しており、前記太陽電池サブセル（３２０）の前記十字交差マトリクスアレイ（３００，３０１，４００）が、第１の出力電力レベルを生成するように促進され、
前記直列ユニット（３１０）の前記十字交差マトリクスアレイ（３００，３０１，４００）が、正常に機能していない直列ユニット（３１０）を電流が迂回することを可能にし、したがって前記太陽光発電システムの性能が向上し、
前記太陽電池サブセル（３２０）それぞれが、通常の太陽電池セル（２１０）より物理的に小さく、通常の太陽電池セルが、約１５ｃｍ×１５ｃｍの通常の四角形の太陽電池セルであり、前記太陽電池サブセル（３２０）が、通常の太陽電池セル（２１０）より面積が少なくとも５０％小さい四角形の太陽電池サブセル（３２０）である、
太陽光発電システム。
【請求項２】
前記直列ユニット（３１０）のストリングそれぞれが、直列に電気的に接続されている同じ数の前記太陽電池サブセル（３２０）から構成されている、請求項１に記載の太陽光発電システム。
【請求項３】
前記太陽電池パネル（５０２）の前記十字交差マトリクスアレイ（３００，３０１，４００）の前記太陽電池サブセル（３２０）の事前設定される数の行（３１５）に並列に接続されている複数のｆ個のバイパスダイオード（Ｄ）をさらに備えている、請求項１に記載の太陽光発電システム（５０２）。
【請求項４】
前記太陽電池サブセルが、通常の太陽電池セル（２１０）を分割することによって形成されている、請求項１に記載の太陽光発電システム。
【請求項５】
複数の前記太陽電池パネル（５００，５０２）が、並列に接続されており、前記太陽電池パネル（５００，５０２）のＤＣ出力電圧をＡＣ電圧に変換するために、パネルＤＣ／ＡＣインバータ（９５０）に結合されて動作する、請求項１に記載の太陽光発電システム（５０７）。
【請求項６】
並列に接続されている前記太陽電池パネル（５００，５０２，５０７）のアレイが、さらに充電装置（５９０）に直列に接続されている、請求項５に記載の太陽光発電システム（５０９）。
【請求項７】
前記充電装置（５９０）が、最大電力点追従制御装置（ＭＰＰＴ）オプティマイザ（５５２）に結合されて動作し、複数の前記太陽電池パネル（５００，５０２，５０７）が並列に接続されている、請求項６に記載の太陽光発電システム（５０９）。
【請求項８】
複数の前記太陽電池パネル（５００，５０２）が、直列に接続されて太陽電池パネルのストリング（５０１）を形成しており、太陽電池パネルの複数の前記ストリング（５０１）が並列に接続されており、並列に接続されている太陽電池パネルの複数の前記ストリング（５０１）のアレイが、さらにＤＣ／ＡＣインバータ（９５０）に直列に接続されている、請求項１に記載の太陽光発電システム（５１１）。
【請求項９】
前記太陽光発電システムの太陽電池マトリクスアレイパネルから最大電力発生量を提供するために、前記太陽電池サブセル（３２０）の前記十字交差マトリクスアレイ（３００，３０１，４００）のＤＣ出力が、ＭＰＰＴオプティマイザ（５５２）によって調整される、請求項１に記載の太陽光発電システム（５０４）。
【請求項１０】
前記ＭＰＰＴオプティマイザと遠隔のコンピュータ化されたユニットとの間の通信を促進する通信ユニット（５５４）をさらに備える、請求項９に記載の太陽光発電システム（５０６）。
【請求項１１】
前記太陽光発電システム（９０２）の前記太陽電池パネルのストリング（５０１）それぞれが、並列に相互接続される前に、ＤＣ／ＡＣインバータ（９５０）に直列に接続される、請求項１０に記載の太陽光発電システム（９０２）。
【請求項１２】
前記太陽光発電システム（５０３）の前記十字交差マトリクスアレイ（３００，３０１，４００）のＤＣ出力が、ＤＣ電圧をＡＣ電圧に変換するインバータ（９５０）に直列に接続されている、請求項１０に記載の太陽光発電システム（５０３）。
【請求項１３】
ＭＰＰＴオプティマイザ（６５２）と、入力／出力電圧／電流測定ユニット（６３０）と、電力計算プロセッサ（６２０）と、をさらに備えており、前記太陽電池サブセルの十字交差マトリクス（４００ｉ）の最大電力点（ＭＰＰ）が、前記入力／出力電圧／電流測定ユニットによって得られて前記電力計算プロセッサによって分析される電圧／電流測定値に基づいて、前記ＭＰＰＴオプティマイザによって調整される、請求項１に記載の太陽光発電システム（６００）。
【請求項１４】
ＭＰＰ調整される複数の前記太陽電池パネル（５０４，５０６，５０９，５１１）が、直列に接続されて太陽電池パネルのストリング（８４０）を形成しており、太陽電池パネルの複数の前記ストリング（８４０）が並列に接続されている、請求項１０に記載の太陽光発電システム（８００）。
【請求項１５】
ＭＰＰ調整される複数の前記太陽電池パネル（５０４，５０６，５０９，５１１）が、並列に接続されている、請求項１０に記載の太陽光発電システム（８０１）。
【請求項１６】
前記太陽光発電システム（９０２）の前記太陽電池パネル（５０４，５０６，５０９，５１１）それぞれが、並列に相互接続される前に、ＤＣ／ＡＣインバータ（９５０）に直列に接続される、請求項１５に記載の太陽光発電システム（９０２）。
【請求項１７】
前記太陽電池パネル（５０４，５０６，５０９，５１１）それぞれがＤＣ−ＡＣインバータ（９５０）に直列に接続され、前記太陽電池パネル（５０４，５０６，５０９，５１１）が、前記ＤＣ／ＡＣインバータ（９５０）に直列に接続される前と、前記ＤＣ／ＡＣインバータ（９５０）に直列に接続された後とに、並列に接続される、請求項１６に記載の太陽光発電システム（９０４）。
【請求項１８】
前記太陽光発電システム（９０６）の前記太陽電池パネル（５０４，５０６，５０９，５１１）の並列接続が、前記ＤＣ／ＡＣインバータ（９５０）に直列に接続される前に、切替可能である、請求項１７に記載の太陽光発電システム（９０６）。
【請求項１９】
前記十字交差マトリクスアレイ（３００，３０１，４００）のＤＣ出力が、少なくとも１個のＤＣ／ＤＣ電力コンバータ（３５０）に接続されている、請求項１に記載の太陽光発電システム（３０５ａ）。
【請求項２０】
前記十字交差マトリクスアレイ（３００，４００）の前記直列ユニットのストリング（３３０）それぞれのＤＣ出力が、ＤＣ／ＤＣ電力コンバータ（３５０）に直列に接続されており、並列に接続されている前記ＤＣ／ＤＣ電力コンバータ（３５０）が、ＭＰＰＴ（３５２，５５２）に直列に接続されている、請求項１に記載の太陽光発電システム（３０６）。
【請求項２１】
前記十字交差マトリクスアレイ（３００，４００）の前記直列ユニットのストリング（３３０）それぞれのＤＣ出力が、ＤＣ／ＤＣ電力コンバータ（３５０）に直列に接続されており、前記ＤＣ／ＤＣ電力コンバータ（３５０）それぞれが、それぞれのＭＰＰＴ（３５２，５５２）に直列に接続されている、請求項１に記載の太陽光発電システム（３０６）。
【手続補正２】
【補正対象書類名】明細書
【補正対象項目名】００１９
【補正方法】変更
【補正の内容】
【００１９】
本発明の主たる目的は、十字交差電気マトリクスにおいて相互接続されている太陽電池の非一体構造のアレイであって、通常サイズの太陽電池の少なくともいくつかが、同じ電圧を提供する複数のサブセルによって置き換えられており、太陽電池が小さいほど、発生する電力損失が小さい、アレイ、を提供することである。十字交差電気マトリクスは、個々の太陽電池が故障したときに電流の受動的な経路変更（passive rerouting）を提供する。本太陽光モジュールは、十字交差電気マトリクスにおいて相互接続されている太陽電池を含み、「通常の」サイズの太陽電池（約１５ｃｍ×約１５ｃｍ）の少なくともいくつかが、例えばこのような通常サイズの太陽電池を等価の複数のサブセルに分割することによって、置き換えられており、これらのサブセルが、マトリクス状の十字交差構造において相互接続されている。なお、「太陽電池サブセル」は、「通常の」サイズの太陽電池セルより小さい、より小さいサイズのセルにおいて製造されてもよいことに留意されたい。
【手続補正３】
【補正対象書類名】明細書
【補正対象項目名】００２０
【補正方法】変更
【補正の内容】
【００２０】
例えば、以下に制限されないが、それぞれが６個の通常の太陽電池セルからなる直列ストリング（serial string）を有する１０列の十字交差マトリクス構造に配置されている６０個の通常の（約１５ｃｍ×約１５ｃｍ）太陽電池セル２１０を有する一般的なパネル、を想定する。セル２１０の各直列ストリングは、８Ａ＊（０．５Ｖ＊６）＝２４Ｗの電力を提供する。したがって、通常のセル２１０の直列ストリングの電圧は、０．５Ｖ＊６＝３Ｖであり、パネルは、合計２４０Ｗを提供する。なお、３Ｖのパネル電圧は、一般に使用される通常のパネルの電圧を得るには適しておらず、パネルの出力電圧を昇圧するために追加の電圧ＤＣ／ＤＣコンバータ２５０（図３を参照）を必要とすることに留意されたい。通常の太陽電池セル２１０それぞれが、直列に接続された９個のサブセル（一般にはそれぞれサイズ１５ｃｍ×１．６７ｃｍ）のストリングに置き換えられる場合、電流Ｉは８／９＝０．８８８９Ａに低下するが、サブセルの直列ストリングの電圧は、０．５Ｖ＊６＊９＝２７Ｖである。したがって、合計出力電力は２４０Ｗのままである。このような場合、ＤＣ／ＤＣコンバータ２５０は必要なく、十字交差マトリクスセル接続によるパネルすべてを直列に直接接続してパネルのストリングを形成し、ストリングを並列に接続し、最大電力点追従制御装置（Maximum Power Point Tracker）（電力オプティマイザ（power optimizer））を使用して、または使用せずに、インバータに直接接続する、または、適切なパネル出力電圧を有する多数の上記のパネルの並列接続を形成し、このアレイを、ＭＰＰＴを使用して、または使用せずに充電装置に接続する、ことが可能である。
【手続補正４】
【補正対象書類名】明細書
【補正対象項目名】００２３
【補正方法】変更
【補正の内容】
【００２３】
さらに、本明細書で使用されている語「電気的な」または「電気的に配線されている」は、太陽光パネルにおける太陽電池の物理的な構造にかかわらず、マトリクスの電気的な構造を意味することに留意されたい。同様に、本明細書で使用されている語「物理的な」は、太陽電池の電気的な相互配線にかかわらず、モジュール／パネルにおける太陽電池の物理的な配置を意味することに留意されたい。さらに、太陽電池セルの接続、太陽電池パネル／モジュール／マトリクスの接続、ならびに、直列接続および並列接続は、電気的な接続を意味することに留意されたい。
【手続補正５】
【補正対象書類名】明細書
【補正対象項目名】００２６
【補正方法】変更
【補正の内容】
【００２６】
太陽電池サブセルそれぞれは、通常の太陽電池セルより物理的に小さく、約１５ｃｍ×１５ｃｍの通常の太陽電池セルは、四角形または最大４つの切り落とされた角を有する四角形であり（これらの構造の両方が、本明細書において「通常の四角形の太陽電池セル」と呼ばれる）、約０．５Ｖの電圧および約８Ａの電流を生成し、太陽電池サブセルは、通常の太陽電池セルより面積が少なくとも５０％小さい四角形の太陽電池セルである。通常の太陽電池セルは、切り落とされた角を有してもよく、したがって、四角形の太陽電池サブセルは、１つまたは２つの切り落とされた角を有してもよい（これらの構造のすべてが、本明細書において「四角形の太陽電池サブセル」と呼ばれる）ことに留意されたい。
【手続補正６】
【補正対象書類名】明細書
【補正対象項目名】００２８
【補正方法】変更
【補正の内容】
【００２８】
任意選択で、直列ユニットのストリングそれぞれは、直列に電気的に接続される同じ数の太陽電池、通常の太陽電池セル、または太陽電池サブセルから構成される。
【手続補正７】
【補正対象書類名】明細書
【補正対象項目名】００２９
【補正方法】変更
【補正の内容】
【００２９】
任意選択で、本太陽光発電システムは、太陽電池パネルのマトリクスアレイのサブセルの事前設定される数の行に並列に接続される、複数の（ｆ個の）バイパスダイオード（Ｄ）をさらに含む。
【手続補正８】
【補正対象書類名】明細書
【補正対象項目名】００３０
【補正方法】変更
【補正の内容】
【００３０】
任意選択で、サブセルは、通常の太陽電池セルを分割することによってまたはより小さいサイズの太陽電池セルを製造することによって形成される。
【手続補正９】
【補正対象書類名】明細書
【補正対象項目名】００３１
【補正方法】変更
【補正の内容】
【００３１】
任意選択で、マトリクス構造において接続されている太陽電池サブセルを有する複数の太陽電池パネルは、並列に接続されており、太陽電池パネルのＤＣ出力電圧をＡＣ電圧に変換するためにパネルＤＣ／ＡＣインバータに結合されて動作する。
【手続補正１０】
【補正対象書類名】明細書
【補正対象項目名】００３２
【補正方法】変更
【補正の内容】
【００３２】
任意選択で、マトリクス構造において電気的に接続されている太陽電池サブセルの並列に接続されている太陽電池パネルのアレイは、さらに充電装置に直列に接続される。好ましくは、充電装置は、最大電力点追従制御装置（ＭＰＰＴ）オプティマイザに結合されて動作し、複数の太陽電池パネルが並列に接続される。
【手続補正１１】
【補正対象書類名】明細書
【補正対象項目名】００３５
【補正方法】変更
【補正の内容】
【００３５】
任意選択で、太陽電池パネルの太陽電池サブセルのストリングそれぞれが、並列に相互接続される前に、ＤＣ／ＡＣインバータに直列に接続される。
【手続補正１２】
【補正対象書類名】明細書
【補正対象項目名】００３６
【補正方法】変更
【補正の内容】
【００３６】
任意選択で、太陽電池サブセルのマトリクスアレイのＤＣ出力は、ＤＣ電圧をＡＣ電圧に変換するインバータに直列に接続される。
【手続補正１３】
【補正対象書類名】明細書
【補正対象項目名】００４１
【補正方法】変更
【補正の内容】
【００４１】
任意選択で、ＭＰＰ調整される太陽電池サブセルの複数の太陽電池パネルが、直列に接続されて太陽電池パネルのストリングを形成し、太陽電池パネルの複数のストリングが並列に接続される。
【手続補正１４】
【補正対象書類名】明細書
【補正対象項目名】００４２
【補正方法】変更
【補正の内容】
【００４２】
任意選択で、ＭＰＰ調整される太陽電池サブセルの複数の太陽電池パネルが、並列に電気的に接続される。任意選択で、太陽電池パネルそれぞれが、並列に相互接続される前に、ＤＣ／ＡＣインバータに直列に接続される。
【手続補正１５】
【補正対象書類名】明細書
【補正対象項目名】００４３
【補正方法】変更
【補正の内容】
【００４３】
任意選択で、太陽電池サブセルの太陽電池パネルそれぞれがＤＣ／ＡＣインバータに直列に接続され、これらの太陽電池パネルは、ＤＣ／ＡＣインバータに直列に接続される前と、ＤＣ／ＡＣインバータに直列に接続された後とに、並列に接続される。任意選択で、太陽電池パネルの並列接続は、ＤＣ／ＡＣインバータに直列に接続される前に、切替可能である。
【手続補正１６】
【補正対象書類名】明細書
【補正対象項目名】００４５
【補正方法】変更
【補正の内容】
【００４５】
任意選択で、太陽電池サブセルのマトリクスアレイのＤＣ出力は、ＤＣ／ＤＣ電力コンバータに接続される。
【手続補正１７】
【補正対象書類名】明細書
【補正対象項目名】００４６
【補正方法】変更
【補正の内容】
【００４６】
任意選択で、太陽電池サブセルのマトリクスアレイのＤＣ出力は、複数のＤＣ／ＤＣ電力コンバータに接続される。
【手続補正１８】
【補正対象書類名】明細書
【補正対象項目名】００４７
【補正方法】変更
【補正の内容】
【００４７】
任意選択で、太陽電池サブセルのマトリクスアレイの直列ユニットのストリングそれぞれのＤＣ出力が、ＤＣ／ＤＣ電力コンバータに直列に接続され、並列に接続されているＤＣ／ＤＣ電力コンバータが、ＭＰＰＴに直列に接続される。
【手続補正１９】
【補正対象書類名】明細書
【補正対象項目名】００４８
【補正方法】変更
【補正の内容】
【００４８】
任意選択で、太陽電池サブセルのマトリクスアレイの直列ユニットのストリングそれぞれのＤＣ出力が、ＤＣ／ＤＣ電力コンバータに直列に接続され、ＤＣ／ＤＣ電力コンバータそれぞれが、それぞれのＭＰＰＴに直列に接続される。
【手続補正２０】
【補正対象書類名】明細書
【補正対象項目名】００５０
【補正方法】変更
【補正の内容】
【００５０】
【図１】太陽電池セルの等価電気回路の概略図である（従来技術）。
【図２】十字交差構造において相互接続されている通常の太陽電池セルを有する太陽電池マトリクスの概略図である（従来技術）。
【図３】太陽電池モジュールの概略的な例であり、図２に示した太陽電池マトリクスの出力にＤＣ／ＤＣ電圧コンバータが接続されている（従来技術）。
【図４】一般的な太陽電池アレイモジュールの、さまざまなセル温度およびさまざまな照射量の場合における電流−電圧特性（最大電力点の調整領域の電圧範囲を含む）を示している（従来技術）。
【図５ａ】本発明のいくつかの実施形態に係る、十字交差構造において相互接続されている太陽電池セルユニットを有する太陽電池マトリクスの例の概略図であり、各太陽電池セルユニットが３個の太陽電池サブセルからなる。
【図５ｂ】本発明のいくつかの実施形態に係る、十字交差構造において相互接続されている太陽電池セルユニットを有する太陽電池マトリクスの別の例の概略図であり、各太陽電池セルユニットが３個の太陽電池サブセルからなる。
【図６】本発明のいくつかの実施形態に係る、太陽電池サブセルのマトリクスの別の例の概略図であり、各太陽電池セルユニットは、Ｍ行Ｎ列の十字交差マトリクス構造において相互接続されている少なくとも１個の太陽電池サブセルからなる。
【図７ａ】太陽電池パネルの例の概略図であり、パネルの太陽電池サブセルのマトリクスは、図６に示した太陽電池マトリクスに類似している（ただしこれに制限されない）。
【図７ｂ】図７ａに示した太陽電池パネルの例の概略図であり、２行のサブセルが日陰になっており、１個または複数個のバイパスダイオードが接続されており、このとき各ダイオードは、それぞれの太陽電池ユニットの１行または複数行の迂回路を形成している。
【図７ｃ】本発明の実施形態に係る太陽光パネルアレイの例の概略図であり（この例では各パネルが、図７ａに示した太陽電池マトリクスパネルに類似している）、パネルが並列に接続されており、太陽電池マトリクスアレイパネルのＤＣ出力電圧をＡＣ電圧（例えば２２０Ｖまたは１１０Ｖ）に変換するために、太陽電池アレイパネルのアレイがパネルＤＣ／ＡＣインバータに結合されている。
【図７ｄ】太陽光パネルアレイの例の概略図であり、このアレイは、図７ｃに示した太陽光パネルのアレイに類似しているが、最大電力点追従制御装置（ＭＰＰＴ）を有する充電装置の入力に直列に接続されている。
【図８ａ】太陽電池サブセルの太陽電池マトリクスアレイパネルから最大電力発生量を提供するために、ＭＰＰＴ装置を有するパワーオプティマイザに結合されている、本発明の実施形態に係る太陽電池マトリクスアレイパネルの例の概略図である。
【図８ｂ】監視・制御型の太陽電池マトリクスアレイパネルを形成するために、ＭＰＰＴ装置を有する電力オプティマイザに結合されている、本発明の実施形態に係る太陽電池サブセルの太陽電池マトリクスアレイパネルの別の例の概略図である。
【図８ｃ】太陽電池マトリクスアレイパネルのＤＣ出力電圧をＡＣ電圧（例えば２２０Ｖまたは１１０Ｖ）に変換するために、パネルＤＣ／ＡＣインバータに結合されている、本発明の実施形態に係る太陽電池サブセルの太陽電池マトリクスアレイパネルの別の例の概略図である。
【図８ｄ】本発明の実施形態に係る、太陽光パネルアレイの並列に接続されたストリングのアレイの別の例の概略図であり、図７ｃに示したように（ただしこの図に制限されない）、太陽光パネルアレイの各ストリングが、それらのＤＣ出力において並列に接続されているパネルＤＣ／ＡＣインバータに直列に結合されている。
【図９】太陽電池アレイモジュールの例を示す概略図であり、このモジュールは、太陽電池サブセルの十字交差網のアレイおよびＭＰＰＴオプティマイザと、入力／出力電圧／電流測定ユニットと、電力計算用のプロセッサとを含む。
【図１０】太陽電池アレイモジュールの例を示す概略図であり、このモジュールは、太陽電池サブセルの十字交差網のアレイおよびＭＰＰＴオプティマイザと、入力／出力電圧／電流測定ユニットと、プロセッサと、送信機および受信機と、を含み、送信機および受信機は、測定データを太陽電池アレイモジュールから汎用システムの中央コントローラ（ＣＣ）に伝送し、中央コントローラ（ＣＣ）の命令を各太陽電池アレイモジュールに伝送し、任意選択で、各パネルまたはシステム全体の情報を、遠隔のコンピュータまたは遠隔のスマートモバイル機器に提供する。
【図１１ａ】並列に接続されている、太陽電池サブセルの太陽電池アレイモジュールのいくつかのストリング、を有する太陽電池アレイシステムの例を示す概略図であり、太陽電池アレイモジュールそれぞれが、ＭＰＰＴオプティマイザと、十字交差構造において接続されている「ｎ個の」太陽電池サブセルを有する太陽電池ユニットのアレイとを含む。
【図１１ｂ】並列に接続されている、太陽電池サブセルのいくつかの太陽電池アレイモジュールを有する太陽電池アレイシステムの例を示す概略図であり、太陽電池アレイモジュールそれぞれが、ＭＰＰＴオプティマイザと、十字交差構造において接続されている「ｎ個の」太陽電池サブセルを有する太陽電池ユニットのアレイとを含む。
【図１２ａ】並列に接続されている、太陽電池サブセルの太陽電池パネルのいくつかのストリング、を有する太陽電池アレイシステムの別の例を示す概略図であり、太陽電池アレイモジュールそれぞれが、ＭＰＰＴオプティマイザと、通信装置と、十字交差構造において接続されている「ｎ個の」太陽電池サブセルを有する太陽電池ユニットのアレイとを含み、すべての太陽電池アレイモジュールが、中央監視・制御システムによって制御され、データを顧客のＰＣまたは携帯電話に送信する。
【図１２ｂ】並列に接続されている、太陽電池サブセルのいくつかの太陽電池パネルを有する太陽電池アレイシステムの別の例を示す概略図であり、太陽電池アレイモジュールそれぞれが、ＭＰＰＴオプティマイザと、通信装置と、十字交差構造において接続されている「ｎ個の」太陽電池サブセルを有する太陽電池ユニットのアレイとを含み、すべての太陽電池アレイモジュールが、中央監視・制御システムによって制御され、データを顧客のＰＣまたは携帯電話に送信する。
【図１３ａ】太陽電池サブセルの太陽電池パネルのアレイを有する太陽電池アレイシステムの例を示す概略図であり、各パネルが太陽電池サブセルの十字交差マトリクスを含み、太陽電池アレイシステムがＤＣ／ＡＣインバータを含む。
【図１３ｂ】各太陽光モジュールが、ＭＰＰＴオプティマイザおよび通信装置を備えた、太陽電池サブセルの太陽光パネルから構成されているときに、例えば複数の太陽光モジュールを有する太陽電池アレイシステムの例を示す概略図であり、各パネルが太陽電池サブセルの十字交差マトリクスを含み、各モジュールにＤＣ／ＡＣインバータが接続されている。
【図１３ｃ】各太陽光モジュールが、ＭＰＰＴオプティマイザおよび通信装置を備えた、太陽電池サブセルの太陽光パネルから構成されているときに、例えば複数の太陽光モジュールを有する太陽電池サブセルマトリクスアレイシステムの例を示す概略図であり、各パネルが太陽電池サブセルの十字交差マトリクスを含み、各モジュールにＤＣ／ＡＣインバータが接続されている。さらにこの例では、太陽光モジュールが並列に相互接続されている。
【図１３ｄ】各太陽光モジュールが、ＭＰＰＴオプティマイザおよび通信装置を備えた、太陽電池サブセルの太陽光パネルから構成されているときに、例えば複数の太陽光モジュールを有する太陽電池サブセルマトリクスアレイシステムの例を示す概略図であり、各パネルが太陽電池サブセルの十字交差マトリクスを含み、各モジュールにＤＣ／ＡＣインバータが接続されている。さらに、本発明の実施形態によれば、この例では太陽光モジュールが並列に相互接続されており、並列ＤＣ入力の接続が制御式に切替可能である。
【図１４】本発明のいくつかの実施形態に係る太陽電池モジュールの例の概略図であり、図５ｂに示した太陽電池サブセルマトリクスの出力にＤＣ／ＤＣ電圧コンバータが接続されている。
【図１５】本発明のいくつかの実施形態に係る太陽電池サブセルマトリクスモジュールの別の例の概略図であり、図５ｂに示した太陽電池マトリクスの出力に複数のＤＣ／ＤＣ電圧コンバータが接続されている。
【図１６】本発明のいくつかの実施形態に係る太陽電池サブセルマトリクスモジュールの別の例の概略図であり、図５ｂに示したような太陽電池サブセルマトリクスの出力に複数のＤＣ／ＤＣ電圧コンバータがそれぞれ接続されており、並列出力を有するこれらのコンバータの出力にＭＰＰＴ装置が接続されている。
【図１７】本発明のいくつかの実施形態に係る太陽電池サブセルマトリクスモジュールの別の例の概略図であり、図１６に示したような太陽電池サブセルマトリクスの出力に複数のＤＣ／ＤＣ電圧コンバータがそれぞれ接続されており、これらのコンバータそれぞれの出力に複数のＭＰＰＴ装置がそれぞれ接続されており、ＭＰＰＴ装置の出力が並列に電気的に接続されている。
【手続補正２１】
【補正対象書類名】明細書
【補正対象項目名】００５４
【補正方法】変更
【補正の内容】
【００５４】
図５ａは、本発明のいくつかの実施形態に係る、十字交差構造において相互接続されている太陽電池サブセル３２０の直列ユニット３１０を有する太陽電池マトリクス網３００の例の概略図であり、各直列ユニット３１０の、結合された光起電性面積は、この例では通常の太陽電池２１０（図３を参照）の光起電性面積と等価である（ただしこれに制限されない）。いくつかの実施形態においては、通常サイズの太陽電池セル２１０が、類似する寸法を有する所望の数のサブセルに分割される。
【手続補正２２】
【補正対象書類名】明細書
【補正対象項目名】００５５
【補正方法】変更
【補正の内容】
【００５５】
図５ｂは、本発明のいくつかの実施形態に係る、別の十字交差構造において相互接続されている太陽電池サブセル３２０の直列ユニット３１０を有する太陽電池マトリクス網３０１の別の例の概略図であり、各直列ユニット３１０の、結合された光起電性面積は、この例では通常の太陽電池２１０の光起電性面積と等価である（ただしこれに制限されない）。いくつかの実施形態においては、通常サイズの太陽電池セル２１０が、類似する寸法を有する所望の数のサブセルに分割される。
【手続補正２３】
【補正対象書類名】明細書
【補正対象項目名】００５６
【補正方法】変更
【補正の内容】
【００５６】
これらのマトリクス３００および３０１の例では、通常のセル（２１０）それぞれが３個のサブセルに分割されていることを示してある。なお、マトリクス（３００または３０１）におけるサブセル３２０の総数を「ｎ」で表すならば、サブセル３２０の総数は、０＜ｎ＜無数であることに留意されたい。
【手続補正２４】
【補正対象書類名】明細書
【補正対象項目名】００５７
【補正方法】変更
【補正の内容】
【００５７】
図６は、別の例の太陽電池サブセルマトリクス４００の概略図であり、各太陽電池サブセルユニット３１０が、「ｎ個の」太陽電池サブセル３２０からなり、マトリクス４００のサブセル３２０の数は、任意の多数の「ｎ個の」サブセル３２０を含むことができ、太陽電池サブセル３２０は、十字交差構造において相互接続されている。
【手続補正２５】
【補正対象書類名】明細書
【補正対象項目名】００５８
【補正方法】変更
【補正の内容】
【００５８】
十字交差構造においては、事前設定される数の太陽電池サブセル３２０（少なくとも１個の太陽電池サブセル３２０である）が、直列に電気的に接続されて直列ユニット３１０を形成しており、事前設定される数の直列ユニット３１０が、直列に電気的に接続されて直列ユニットのストリング３３０を形成しており、直列ユニットのストリング３３０は、第１の出力電圧レベルを生成するようにされている。事前設定される数の直列ユニットのストリング３３０は、並列に電気的に接続されて太陽電池サブセル３２０のモジュールアレイ（３００，３０１，４００）を形成しており、モジュールアレイ（３００，４００）は、第１の出力電力レベルを生成するようにされている。
【手続補正２６】
【補正対象書類名】明細書
【補正対象項目名】００５９
【補正方法】変更
【補正の内容】
【００５９】
さらに、直列ユニットのストリング３３０それぞれの各直列ユニット３１０は、すべての他の直列ユニットのストリング３３０の隣接する直列ユニット３１０にも並列に接続されて、直列ユニット３１０の行３１５と、直列ユニット３１０の十字交差マトリクスアレイ（３００，３０１，４００）を形成している。直列ユニット３１０の十字交差マトリクスアレイ（３００，３０１，４００）は、正常に機能していない直列ユニット３１０を電流が迂回することを可能にし、したがってマトリクスアレイ（３００，３０１，４００）およびそのシステムの性能が向上する。
【手続補正２７】
【補正対象書類名】明細書
【補正対象項目名】００６０
【補正方法】変更
【補正の内容】
【００６０】
マトリクスアレイ（３００，３０１，４００）は、直列に接続されている太陽電池サブセル３２０の、さまざまなサイズの直列ユニット３１０の行３１５の混合を含むことができる。例えば、図５ａは、３個の太陽電池サブセル３２０の直列ユニット３１０を示しており、図６は、４個の太陽電池サブセル３２０の直列ユニットと、５個の太陽電池サブセル３２０の直列ユニットとを示している。
【手続補正２８】
【補正対象書類名】明細書
【補正対象項目名】００６１
【補正方法】変更
【補正の内容】
【００６１】
次に図７ａをさらに参照し、図７ａは、太陽電池サブセルパネル５００の例を概略的に示しており、パネル５００の太陽電池サブセル３１０／３２０のマトリクスは、例えば太陽電池サブセルマトリクス４００に類似している（ただしこれに制限されない）。
【手続補正２９】
【補正対象書類名】明細書
【補正対象項目名】００６２
【補正方法】変更
【補正の内容】
【００６２】
図７ｂは、部分的に日陰になっている太陽光パネル５０２を示しており、２行のサブセル３２０が日陰になっている。太陽光パネル５０２は、太陽電池サブセルマトリクスパネル５００と同様に、十字交差構造において相互接続されている「ｎ個の」太陽電池サブセルを含み、太陽電池サブセル３２０および／または直列ユニット３１０の、事前設定される数の行３１５に、１個または複数個のバイパスダイオードが並列に接続されている。
【手続補正３０】
【補正対象書類名】明細書
【補正対象項目名】００６３
【補正方法】変更
【補正の内容】
【００６３】
このような部分的な日陰の場合、サブセル３２０は電力を提供することを停止し、このためパネル５０２全体のエネルギ発生量が低下する。図７ｂに示した例においては、日陰になった領域（サブセル３２０の行全体にわたる）によって、サブセルのそれぞれのストリングにおける照らされているサブセル３２０を電流が流れることが妨げられる。このような問題を解決する目的で、図６に示したような太陽電池マトリクスアレイ４００のサブセルの、事前設定される数の行３１５に、多数の「ｆ」個のバイパスダイオードＤが並列に接続されている。ｆは、マトリクスアレイ４００の１つまたは複数の行３１５に接続されている１個のバイパスダイオードＤ、ないし３個のバイパスダイオードＤ、ないし６０個のバイパスダイオードＤ、または任意の別の数のバイパスダイオードＤとすることができる。ダイオードＤは、サブセル３２０の１つまたは複数の行３１５に、または直列ユニット３１０の１つまたは複数の行３１５に、接続することができ、例えばバイパスダイオードＤ１を見ると、日陰になっているサブセル３２０の行を含む、直列ユニット３１０の行３１５に接続されており、したがってストリングの電流が流れ続けることを可能にする。
【手続補正３１】
【補正対象書類名】明細書
【補正対象項目名】００６５
【補正方法】変更
【補正の内容】
【００６５】
図７ｃは、本発明の実施形態に係る太陽光パネルアレイ５０７の例の概略図であり（この例における各パネルは、太陽電池サブセルマトリクスパネル５００／５０２に類似している（ただしこれに制限されない））、パネル５００は並列に接続されており、太陽電池マトリクスアレイパネルのＤＣ出力電圧をＡＣ電圧（例えば２２０Ｖまたは１１０Ｖ）に変換するために、太陽電池パネルがパネルＤＣ／ＡＣインバータ９５０に結合されている。
【手続補正３２】
【補正対象書類名】明細書
【補正対象項目名】００６７
【補正方法】変更
【補正の内容】
【００６７】
さらに図８ａを参照し、図８ａは、太陽電池サブセルマトリクスアレイパネル５０４を形成するために、ＭＰＰＴ  ５５２を有する電力オプティマイザ５５０に結合されている太陽電池サブセルマトリクスアレイパネル５０４の例を示している。ＭＰＰＴ  ５５２に基づくオプティマイザ５５０は、太陽電池マトリクスアレイパネルから最大電力発生量を提供するように構成されている。太陽光パネル５０４の太陽電池アレイマトリクス４００のサブセルの行は、バイパスダイオードＤなしで、かつ通信ユニットなしで、配置されている。
【手続補正３３】
【補正対象書類名】明細書
【補正対象項目名】００６８
【補正方法】変更
【補正の内容】
【００６８】
図８ｂは、太陽電池サブセルマトリクスアレイパネル５０６を形成するために、ＭＰＰＴ  ５５２および通信ユニット５５４を有する電力オプティマイザ５５１に結合されている太陽電池サブセルマトリクスアレイパネル５０６の例を示している。太陽光パネル５０６の太陽電池アレイマトリクス４００のサブセルの行は、バイパスダイオードＤなしで配置されている。
【手続補正３４】
【補正対象書類名】明細書
【補正対象項目名】００６９
【補正方法】変更
【補正の内容】
【００６９】
図８ｃは、マトリクス太陽電池アレイ（マトリクス太陽電池アレイ４００など）から構成されている太陽電池サブセルマトリクスアレイパネル５０３の例の概略図であり、マトリクス太陽電池アレイは、ＤＣ電圧を提供し、また、ＤＣ電圧をＡＣ電圧（例えば供給網に適合する電力）に変換するインバータ９５０に直列に結合されている。
【手続補正３５】
【補正対象書類名】明細書
【補正対象項目名】００７１
【補正方法】変更
【補正の内容】
【００７１】
図９は、太陽電池アレイシステムモジュール６００の例を示す概略図であり、このモジュール６００は、電子ＭＰＰＴオプティマイザと、出力／入力電圧／電流測定ユニット６３０と、太陽電池サブセルアレイ４００ｉの十字交差マトリクスのＭＰＰを調整するプロセッサ６２０とを含み、アレイ４００ｉは、例えば、太陽光パネルシステム５０４および／または５０６の一部である（ただしこれに制限されない）。結果の測定値が、ＭＰＰに基づくオプティマイザ６５２からプロセッサ６２０によって得られ、したがってプロセッサ６２０は、太陽電池パネル５０４／５０６などの太陽電池パネルの出力電圧を変化させることができる。
【手続補正３６】
【補正対象書類名】明細書
【補正対象項目名】００７２
【補正方法】変更
【補正の内容】
【００７２】
図１０は、太陽電池アレイシステムモジュール６０２の例を示す概略図であり、このモジュール６０２は、例えば太陽電池サブセルの十字交差マトリクス４００ｉを有する太陽電池パネル５０６などのマトリクスアレイパネルを含み、太陽電池パネル５０６は、中央監視・命令／制御サブシステム７００に結合されて動作する。
【手続補正３７】
【補正対象書類名】明細書
【補正対象項目名】００７３
【補正方法】変更
【補正の内容】
【００７３】
マトリクスアレイパネル５０６は、ＭＰＰＴオプティマイザ６５２と、入力／出力電圧／電流測定ユニット６３０と、プロセッサ６２０と、をさらに含む。太陽電池アレイシステムモジュール６０２は、中央監視サブシステム７００との通信を促進する送信機６４０をさらに含み、中央監視サブシステム７００は、太陽光パネルアレイの個々の太陽電池アレイモジュール６０２それぞれおよびシステム全体の制御に介入することができる。個々の太陽電池アレイモジュール６０２それぞれは、出力／入力電圧／電流計測器６３０から得られた測定データを中央制御サブシステム７００の中央コントローラ／プロセッサ７１０に伝送する送信機６４０、をさらに含む。個々の太陽電池アレイモジュール６０２それぞれは、中央処理装置７１０からの制御命令を受信する受信機６４２をさらに含む。
【手続補正３８】
【補正対象書類名】明細書
【補正対象項目名】００７４
【補正方法】変更
【補正の内容】
【００７４】
任意選択で、中央制御サブシステム７００は、各パネルまたはシステム６０２全体の特性（パネルのエネルギ、電力、温度など）に関する情報を、パーソナルコンピュータまたはスマートモバイル機器７５０にさらに提供し、また、中央制御サブシステム７００を、動作可能に結合されている遠隔のコンピュータまたは遠隔のスマートモバイル機器７５０から情報を受信し、例えば、特定のパネル５０６、またはパネルのシステム（アレイ）全体を無効にする、または有効にするなどの命令を与えるように、さらに構成することができる。
【手続補正３９】
【補正対象書類名】明細書
【補正対象項目名】００７５
【補正方法】変更
【補正の内容】
【００７５】
さらに図１１ａを参照し、図１１ａは、太陽電池パネル５０４／５０６／５０９／５１１（それぞれ任意選択で前述したように特徴付けることができる）のいくつかのストリング８４０を有する太陽電池アレイシステム８００の例を示す概略図であり、太陽電池パネル５０４／５０６／５０９／５１１のストリング８４０は並列に相互接続されている。太陽電池パネル５０４／５０６／５０９／５１１それぞれが、ＭＰＰＴオプティマイザおよび監視・命令／制御サブシステムを有することができる。太陽電池パネル５０４／５０６／５０９／５１１それぞれが、十字交差構造において相互接続されている「ｎ個の」太陽電池サブセル３２０を有する直列ユニット３１０のアレイを含む。
【手続補正４０】
【補正対象書類名】明細書
【補正対象項目名】００７６
【補正方法】変更
【補正の内容】
【００７６】
図１１ｂは、並列に接続されているいくつかの太陽電池パネル５０４／５０６／５０９／５１１（それぞれ任意選択で前述したように特徴付けることができる）を有する太陽電池アレイシステム８０１の例を示す概略図である。太陽電池パネル５０４／５０６／５０９／５１１それぞれが、ＭＰＰＴオプティマイザおよび監視・命令／制御サブシステムを有することができる。太陽電池パネル５０４／５０６／５０９／５１１それぞれが、十字交差構造において相互接続されている「ｎ個の」太陽電池サブセル３２０を有する直列ユニット３１０のアレイを含む。
【手続補正４１】
【補正対象書類名】明細書
【補正対象項目名】００７８
【補正方法】変更
【補正の内容】
【００７８】
さらに図１２ａを参照し、図１２ａは、太陽電池パネル５０４／５０６／５０９／５１１（それぞれ任意選択で前述したように特徴付けることができる）のいくつかのストリング８４０を有する太陽電池アレイシステム８０２の別の例を示す概略図であり、太陽電池パネル５０４／５０６／５０９／５１１のストリング８４０は、並列に相互接続されている。太陽電池パネル５０４／５０６／５０９／５１１それぞれが、ＭＰＰＴオプティマイザおよび監視・命令／制御通信サブシステムを有する。太陽電池パネル５０４／５０６／５０９／５１１それぞれが、十字交差構造において相互接続されている複数の太陽電池サブセル３２０を有する直列ユニット３１０のアレイを含む。
【手続補正４２】
【補正対象書類名】明細書
【補正対象項目名】００７９
【補正方法】変更
【補正の内容】
【００７９】
中央処理装置７１０を有する中央制御サブシステム７００は、太陽電池パネル５０６／５０９／５１１の各ストリング８４０の電圧と、太陽電池パネル５０６／５０９／５１１それぞれの電圧、電流、および出力電力とに関する測定データを受信する。太陽電池パネル５０６／５０９／５１１からのデータを受信機７４２を通じて受信した後、中央処理装置７１０は、監視データを送信機７４０を通じて顧客のＰＣおよび電話に送る。
【手続補正４３】
【補正対象書類名】明細書
【補正対象項目名】００８０
【補正方法】変更
【補正の内容】
【００８０】
中央制御サブシステム７００は、動作可能に結合されている遠隔のコンピュータまたは遠隔のスマートモバイル機器（７５０）からの情報（例えば、特定のパネル５０６／５０９／５１１または太陽光パネルのアレイ全体を有効にする、または無効にするなどの命令、および／または、別の命令もしくは情報）を受信するように、さらに構成することができる。
【手続補正４４】
【補正対象書類名】明細書
【補正対象項目名】００８１
【補正方法】変更
【補正の内容】
【００８１】
なお、中央制御サブシステム７００は、太陽電池アレイモジュール５０６／５０９／５１１それぞれと、無線を通じて、または有線通信手段を通じて、通信することができることに留意されたい。
【手続補正４５】
【補正対象書類名】明細書
【補正対象項目名】００８３
【補正方法】変更
【補正の内容】
【００８３】
図１２ｂは、並列に接続されているいくつかの太陽電池パネル５０６／５０９／５１１（それぞれ任意選択で前述したように特徴付けることができる）を有する太陽電池アレイシステム８０３の例を示す概略図である。太陽電池パネル５０６／５０９／５１１それぞれが、ＭＰＰＴオプティマイザおよび監視・命令／制御サブシステムを有することができる。太陽電池パネル５０６／５０９／５１１それぞれが、十字交差構造において相互接続されている「ｎ個の」太陽電池サブセル３２０を有する直列ユニット３１０のアレイを含む。
【手続補正４６】
【補正対象書類名】明細書
【補正対象項目名】００８４
【補正方法】変更
【補正の内容】
【００８４】
中央処理装置７１０を有する中央制御サブシステム７００は、太陽電池パネル５０６／５０９／５１１の各ストリング８４０の電圧と、太陽電池パネル５０６／５０９／５１１それぞれの電圧、電流、および出力電力とに関する測定データを受信する。太陽電池パネル５０６／５０９／５１１からのデータを受信機７４２を通じて受信した後、中央処理装置７１０は、監視データを送信機７４０を通じて顧客のＰＣおよび電話に送る。
【手続補正４７】
【補正対象書類名】明細書
【補正対象項目名】００８５
【補正方法】変更
【補正の内容】
【００８５】
中央制御サブシステム７００は、動作可能に結合されている遠隔のコンピュータまたは遠隔のスマートモバイル機器７５０からの情報（例えば、特定のパネル５０６／５０９／５１１または太陽光パネルのアレイ全体を有効にする、または無効にするなどの命令、および／または、別の命令もしくは情報）を受信するように、さらに構成することができる。
【手続補正４８】
【補正対象書類名】明細書
【補正対象項目名】００８６
【補正方法】変更
【補正の内容】
【００８６】
なお、中央制御サブシステム７００は、太陽電池アレイモジュール５０６／５０９／５１１それぞれと、無線を通じて、または有線通信手段を通じて、通信することができることに留意されたい。
【手続補正４９】
【補正対象書類名】明細書
【補正対象項目名】００８８
【補正方法】変更
【補正の内容】
【００８８】
照射量の条件（すなわち太陽電池サブセルへの光の照射）および／または温度が変わることに起因してＭＰＰが変化する結果としての、システムのパネルアレイの電力損失の問題に対処するため、図１３ａおよび図１３ｂに示したように、ＭＰＰ追従制御装置を有するＤＣ／ＡＣインバータ９５０が使用される。
【手続補正５０】
【補正対象書類名】明細書
【補正対象項目名】００８９
【補正方法】変更
【補正の内容】
【００８９】
図１３ａは、例えばｍ＊ｎ枚の太陽電池パネル５００／５０２／５０３／５０４／５０６（各パネルが太陽電池サブセル３１０／３２０の十字交差マトリクスを含む）を有する太陽電池アレイシステム９００の例を示す概略図であり、太陽電池アレイシステム９００は共通のＤＣ／ＡＣインバータ９５０を含む。しかしながらこの解決策は、太陽光システムのレベルで機能し、太陽電池アレイモジュールのレベルでは機能しない。したがってこの解決策では、各太陽電池アレイモジュールをそのＭＰＰにおいて動作させる（これによりシステム全体にわたり、より高い効率が提供される）ことは可能にならない。
【手続補正５１】
【補正対象書類名】明細書
【補正対象項目名】００９０
【補正方法】変更
【補正の内容】
【００９０】
図１３ｂは、例えば並列に接続されている太陽電池パネル５０６／５０９／５１１（各パネルが太陽電池サブセル３１０／３２０の十字交差マトリクスを含む）を有する太陽電池アレイシステム９０２の例を示す概略図である。太陽電池パネル５０６／５０９／５１１それぞれは、並列に相互接続される前に、ＤＣ／ＡＣインバータ９５０に直列に接続されている。
【手続補正５２】
【補正対象書類名】明細書
【補正対象項目名】００９１
【補正方法】変更
【補正の内容】
【００９１】
図１３ｃは、例えば並列に接続されている太陽電池パネル５０６／５０９／５１１を有する太陽電池アレイシステム９０４の例の概略図であり、太陽電池パネル５０６／５０９／５１１それぞれが、ＤＣ電圧をＡＣ電圧に変換する直列に結合されたインバータ９５０に、ＤＣ電圧を提供する。太陽電池パネル５０６／５０９／５１１は、それぞれのＤＣ電圧がＡＣ電圧に変換される前と、それぞれのＤＣ電圧がＡＣ電圧に変換された後の両方に、並列に接続されている。
【手続補正５３】
【補正対象書類名】明細書
【補正対象項目名】００９２
【補正方法】変更
【補正の内容】
【００９２】
図１３ｄは、例えば並列に接続されている太陽電池パネル５０６／５０９／５１１を有する太陽電池アレイシステム９０６の例の概略図であり、太陽電池パネル５０６／５０９／５１１それぞれが、ＤＣ電圧をＡＣ電圧に変換する直列に結合されたインバータ９５０に、ＤＣ電圧を提供する。太陽電池パネル５０６／５０９／５１１は、それぞれのＤＣ電圧がＡＣ電圧に変換される前と、それぞれのＤＣ電圧がＡＣ電圧に変換された後の両方に、並列に接続されている。しかしながら、太陽電池アレイシステム９０４とは異なり、それぞれのＤＣ電圧がＡＣ電圧に変換される前に並列に接続されている太陽電池パネル５０６／５０９／５１１の並列接続それぞれが、スイッチ５１２（一般には制御可能スイッチ）によって切替可能である。
【手続補正５４】
【補正対象書類名】明細書
【補正対象項目名】００９３
【補正方法】変更
【補正の内容】
【００９３】
本発明の別のバリエーションを、図１４〜図１６に示す。図１４は、本発明のいくつかの実施形態に係る太陽電池サブセルマトリクスモジュール３０５ａの概略図であり、低いパネル電圧を所望のパネル出力電圧レベルまで昇圧する、またはＭＰＰを調整するためのＤＣ／ＤＣ電圧コンバータ３５０が、太陽電池サブセルマトリクス（３００，３０１）の出力に接続されている。図１５は、本発明の別の実施形態に係る別の太陽電池サブセルマトリクスモジュール３０５ｂの概略図であり、低いパネル電圧を所望のパネル出力電圧レベルまで昇圧する、またはＭＰＰを調整するための複数のＤＣ／ＤＣ電圧コンバータ３５０が、太陽電池サブセルマトリクス（３００，３０１）の出力に接続されている。なお、ＤＣ／ＤＣ電圧コンバータ３５０は、プッシュプルコンバータ、アップコンバータ、フォワードコンバータ、最大電力点追従制御装置（ＭＰＰＴ）３５２、または他のタイプのコンバータ、またはこれらの組合せ、とすることができることに留意されたい。
【手続補正５５】
【補正対象書類名】明細書
【補正対象項目名】００９４
【補正方法】変更
【補正の内容】
【００９４】
太陽電池サブセル３１０の十字交差構造により、いずれかの太陽電池サブセル３２０が故障しているときに太陽電池サブセルモジュール３０５ａ／３０５ｂ（３０５）の電力損失が最小になる一方で、それら故障したサブセルに直列に接続されているサブセルによって生成される電流は失われず、故障したサブセルを迂回するように経路変更される。通常の太陽電池セル２１０ではなく太陽電池サブセル３２０を使用することによって、太陽電池モジュール３０５の中で生成される電流が相当に減少し、したがって、太陽電池セル３２０（または３１０）と外部導体２０４／３０４との間のはんだ箇所２１２／３１２における導電性損失に起因する電力損失と、太陽電池セル３２０の間の導体接続部、太陽電池のバスバー、太陽電池セルをセルのストリングに接続している導体、および太陽電池セルのストリングを接続箱に接続している導体、における導電性損失に起因する電力損失とが、が相当に減少する。
【手続補正５６】
【補正対象書類名】明細書
【補正対象項目名】００９６
【補正方法】変更
【補正の内容】
【００９６】
図１６は、本発明のいくつかの実施形態に係る太陽電池モジュール３０６の別の概略的な例であり、太陽電池マトリクス３００ａ’の出力に複数のＤＣ／ＤＣ電圧コンバータ３５０が接続されている。太陽電池セル２１０および／または太陽電池サブセル３１０／３２０の多数の異なる組合せによって、太陽電池サブセルマトリクス３００’を有するさまざまな他の太陽電池モジュールを構成することができ、これらはすべて本発明の範囲内である。
【手続補正５７】
【補正対象書類名】明細書
【補正対象項目名】００９７
【補正方法】変更
【補正の内容】
【００９７】
図１７は、本発明のいくつかの実施形態に係る太陽電池モジュール３０８の別の例の概略図であり、図１６に示したような太陽電池サブセルマトリクス３００’の出力に複数のＤＣ／ＤＣ電圧コンバータ３５０が接続されており、これらのコンバータそれぞれの出力に複数のＭＰＰＴ装置３５２が接続されており、ＭＰＰＴ装置３５２の出力が並列にされている。
【手続補正５８】
【補正対象書類名】明細書
【補正対象項目名】発明の名称
【補正方法】変更
【補正の内容】
【発明の名称】太陽光発電システム
【手続補正５９】
【補正対象書類名】図面
【補正対象項目名】図５ａ
【補正方法】変更
【補正の内容】
【図５ａ】
2020505774.tif 000001
【手続補正６０】
【補正対象書類名】図面
【補正対象項目名】図５ｂ
【補正方法】変更
【補正の内容】
【図５ｂ】
2020505774.tif 000002
【手続補正６１】
【補正対象書類名】図面
【補正対象項目名】図６
【補正方法】変更
【補正の内容】
【図６】
2020505774.tif 000003
【手続補正６２】
【補正対象書類名】図面
【補正対象項目名】図７ａ
【補正方法】変更
【補正の内容】
【図７ａ】
2020505774.tif 000004
【手続補正６３】
【補正対象書類名】図面
【補正対象項目名】図７ｂ
【補正方法】変更
【補正の内容】
【図７ｂ】
2020505774.tif 000005
【手続補正６４】
【補正対象書類名】図面
【補正対象項目名】図７ｃ
【補正方法】変更
【補正の内容】
【図７ｃ】
2020505774.tif 000006
【手続補正６５】
【補正対象書類名】図面
【補正対象項目名】図７ｄ
【補正方法】変更
【補正の内容】
【図７ｄ】
2020505774.tif 000007
【手続補正６６】
【補正対象書類名】図面
【補正対象項目名】図８ａ
【補正方法】変更
【補正の内容】
【図８ａ】
2020505774.tif 000008
【手続補正６７】
【補正対象書類名】図面
【補正対象項目名】図８ｂ
【補正方法】変更
【補正の内容】
【図８ｂ】
2020505774.tif 000009
【手続補正６８】
【補正対象書類名】図面
【補正対象項目名】図８ｃ
【補正方法】変更
【補正の内容】
【図８ｃ】
2020505774.tif 000010
【手続補正６９】
【補正対象書類名】図面
【補正対象項目名】図９
【補正方法】変更
【補正の内容】
【図９】
2020505774.tif 000011
【手続補正７０】
【補正対象書類名】図面
【補正対象項目名】図１０
【補正方法】変更
【補正の内容】
【図１０】
2020505774.tif 000012
【手続補正７１】
【補正対象書類名】図面
【補正対象項目名】図１１ａ
【補正方法】変更
【補正の内容】
【図１１ａ】
2020505774.tif 000013
【手続補正７２】
【補正対象書類名】図面
【補正対象項目名】図１１ｂ
【補正方法】変更
【補正の内容】
【図１１ｂ】
2020505774.tif 000014
【手続補正７３】
【補正対象書類名】図面
【補正対象項目名】図１２ａ
【補正方法】変更
【補正の内容】
【図１２ａ】
2020505774.tif 000015
【手続補正７４】
【補正対象書類名】図面
【補正対象項目名】図１２ｂ
【補正方法】変更
【補正の内容】
【図１２ｂ】
2020505774.tif 000016
【手続補正７５】
【補正対象書類名】図面
【補正対象項目名】図１３ａ
【補正方法】変更
【補正の内容】
【図１３ａ】
2020505774.tif 000017
【手続補正７６】
【補正対象書類名】図面
【補正対象項目名】図１３ｂ
【補正方法】変更
【補正の内容】
【図１３ｂ】
2020505774.tif 000018
【手続補正７７】
【補正対象書類名】図面
【補正対象項目名】図１３ｃ
【補正方法】変更
【補正の内容】
【図１３ｃ】
2020505774.tif 000019
【手続補正７８】
【補正対象書類名】図面
【補正対象項目名】図１３ｄ
【補正方法】変更
【補正の内容】
【図１３ｄ】
2020505774.tif 000020
【手続補正７９】
【補正対象書類名】図面
【補正対象項目名】図１４
【補正方法】変更
【補正の内容】
【図１４】
2020505774.tif 000021
【手続補正８０】
【補正対象書類名】図面
【補正対象項目名】図１５
【補正方法】変更
【補正の内容】
【図１５】
2020505774.tif 000022
【手続補正８１】
【補正対象書類名】図面
【補正対象項目名】図１６
【補正方法】変更
【補正の内容】
【図１６】
2020505774.tif 000023
【手続補正８２】
【補正対象書類名】図面
【補正対象項目名】図１７
【補正方法】変更
【補正の内容】
【図１７】
2020505774.tif 000024